(57)【要約】【課題】密封性とタンパーエビデンス性とを有しながら、負荷や手間がかからずに容易に開栓できる注出口栓およびこれを用いた包装容器を提供する。【解決手段】注出口栓は、口栓本体は、筒部の内周面に環状突出部と、環状突出部から延出し、所定の間隔を有するように設けられた複数の連接部により、筒部の内方に保持された円筒形状の閉塞部材と、閉塞部材から内方に突出する係合爪とを備え、キャップは、外周面に凹溝が形成されて、一端が天面部に覆われた円柱状のキャップ側係合部を有し、キャップが口栓本体に取り付けられた状態において、キャップ側係合部が、閉塞部材の内部に挿入され、閉塞部材が、筒部の一端側がキャップ側係合部に当接するとともに、他端側が環状突出部に密着し、キャップを、螺合を解除する方向に回転させることにより、閉塞部材と環状突出部との密着が解除され、連接部が破断して開栓される。【選択図】図１
2020169046.tif 000002
【特許請求の範囲】
【請求項１】
外ネジが形成された円筒形の筒部を有する口栓本体と、
前記外ネジと螺合する内ネジが形成された円筒形の側壁、および前記側壁の一端を覆う天面部を有し、前記筒部の一端に被せて前記外ネジと前記内ネジとが螺合された状態で取り付けられたキャップとからなる注出口栓であって、
前記口栓本体は、
前記筒部の内周面に全周にわたって形成された環状突出部と、
前記環状突出部から前記筒部の内方に向かって延出し、周方向に所定の間隔を有するように設けられた複数の連接部により、前記筒部の内方であって、前記筒部の中心軸の延伸方向において前記環状突出部よりも前記筒部の前記一端側に保持された円筒形状の閉塞部材と、
前記閉塞部材から内方に突出する係合爪とを備え、
前記キャップは、
外周面に周方向にわたる凹溝が形成されて、一端が前記天面部に覆われた円柱状のキャップ側係合部を有し、
前記キャップが前記口栓本体に取り付けられた状態において、
前記キャップ側係合部が、前記閉塞部材の内部に挿入され、
前記前記係合爪が、前記凹溝に係合して、
前記閉塞部材が、前記筒部の前記一端側が前記キャップ側係合部に当接するとともに、前記筒部の他端側が全周にわたって前記環状突出部に密着し、
前記キャップを、前記螺合を解除する方向に回転させることにより、
前記凹溝に係合した前記閉塞部材が、前記キャップとともに前記筒部の前記一端側へ向かって移動し、
前記閉塞部材と前記環状突出部との密着が解除され、前記連接部が破断して開栓される、
注出口栓。
【請求項２】
前記閉塞部材は、
内部に前記筒部の前記一端側と他端側とを隔てる隔壁を備える、
請求項１に記載の注出口栓。
【請求項３】
前記キャップ側係合部は、
他端において、前記キャップ側係合部の前記一端側から離れるにつれて外径が小さくなる、
請求項１または２に記載の注出口栓。
【請求項４】
前記凹溝は、
前記キャップ側係合部の前記他端側に、前記係合爪が前記凹溝に係合したときに前記係合爪と接触する接触面を有し、
前記接触面は、
前記キャップ側係合部の内方から外方に向かうにつれて前記キャップ側係合部の前記一端側に近づくように傾斜している、
請求項１から３のいずれかに記載の注出口栓。
【請求項５】
請求項１〜３のいずれかに記載された注出口栓を備える、包装容器。
【発明の詳細な説明】
【技術分野】
【０００１】
本発明は、包装容器の注出位置に設けられる注出口栓に関する。
【背景技術】
【０００２】
液体、粉体あるいは粒体等の流動性のある内容物の包装容器として、樹脂製の注出口栓を設けたものが広く使用されている。注出口栓は、円筒形の筒部およびその内部を閉塞する隔壁を含む口栓本体と、口栓本体に被せるキャップとを備える。隔壁には円状の薄肉部とプルリングとが設けられ、キャップを外して、プルリングを引っ張ることにより、隔壁が薄肉部に沿って破断するため、開栓することができる。また、キャップを被せることにより、再封することができる（特許文献１参照）。
【先行技術文献】
【特許文献】
【０００３】
【特許文献１】特開２０００−２９６８６５号公報
【発明の概要】
【発明が解決しようとする課題】
【０００４】
このような、注出口栓によれば、隔壁によって開栓前までの密封性とタンパーエビデンス性とを実現することができる一方で、隔壁の薄肉部を破断するために要するプルリングを引っ張る力が比較的大きくなり易く、力の弱いユーザーには負荷が高い場合があった。開栓の際の負荷を抑制するために隔壁の薄肉部を薄く形成することが考えられるが、この場合、薄肉部にピンホールが発生して密封性が低下するおそれがあった。また、開栓後にプルリングを廃棄する手間がかかり、利便性にも改善の余地があった。
【０００５】
本発明は、このような課題に鑑みてなされたものであり、密封性とタンパーエビデンス性とを有しながら、負荷や手間がかからずに容易に開栓できる注出口栓およびこれを用いた包装容器を提供することを目的とする。
【課題を解決するための手段】
【０００６】
上記課題を解決するための本発明の一局面は、外ネジが形成された円筒形の筒部を有する口栓本体と、外ネジと螺合する内ネジが形成された円筒形の側壁、および側壁の一端を覆う天面部を有し、筒部の一端に被せて外ネジと内ネジとが螺合された状態で取り付けられたキャップとからなる注出口栓であって、口栓本体は、筒部の内周面に全周にわたって形成された環状突出部と、環状突出部から筒部の内方に向かって延出し、周方向に所定の間隔を有するように設けられた複数の連接部により、筒部の内方であって、筒部の中心軸の延伸方向において環状突出部よりも筒部の一端側に保持された円筒形状の閉塞部材と、閉塞部材から内方に突出する係合爪とを備え、キャップは、外周面に周方向にわたる凹溝が形成されて、一端が天面部に覆われた円柱状のキャップ側係合部を有し、キャップが口栓本体に取り付けられた状態において、キャップ側係合部が、閉塞部材の内部に挿入され、係合爪が、凹溝に係合して、閉塞部材が、筒部の一端側がキャップ側係合部に当接するとともに、筒部の他端側が全周にわたって環状突出部に密着し、キャップを、螺合を解除する方向に回転させることにより、凹溝に係合した閉塞部材が、キャップとともに筒部の一端側へ向かって移動し、閉塞部材と環状突出部との密着が解除され、連接部が破断して開栓される、注出口栓である。
【０００７】
また、本発明の他の局面は、上述の注出口栓を備えた包装容器である。
【発明の効果】
【０００８】
本発明によれば、密封性とタンパーエビデンス性とを有しながら、負荷や手間がかからずに容易に開栓できる注出口栓およびこれを用いた包装容器を提供することができる。
【図面の簡単な説明】
【０００９】
【図１】本発明の一実施形態に係る注出口栓の断面図
【図２】本発明の一実施形態に係る注出口栓の部分拡大断面図
【図３】本発明の一実施形態に係る口栓本体の平面図
【図４】本発明の一実施形態に係る注出口栓の断面図
【図５】本発明の一実施形態に係る注出口栓の部分拡大断面図
【図６】本発明の一実施形態に係る注出口栓の部分拡大断面図
【図７】本発明の一実施形態に係る注出口栓の断面図
【発明を実施するための形態】
【００１０】
本発明の一実施形態に係る注出口栓１００を、図を参照して説明する。注出口栓１００は、口栓本体１０と、口栓本体１０に取り付けることが可能なキャップ２０とを含んで構成される。キャップ２０は、口栓本体１０の後述する筒部１１の一端側に被せて、口栓本体１０に設けた外ネジ１２とキャップ２０に設けた内ネジ２２とが螺合された状態で取り付けられる。
【００１１】
図１は、口栓本体１０にキャップ２０が取り付けられていない状態の注出口栓１００の断面図であり、図２は、図１の点線で囲ったＢ部の部分拡大断面図であり、図３は、注出口栓１００の平面図であって、図１のＡ−Ａ’線で切断した部分の断面を示している。図４は、口栓本体１０にキャップ２０が取り付けられた状態の注出口栓１００の断面図であり、図５は、図４の点線で囲ったＤ部の部分拡大断面図であり、図６は、図４の点線で囲ったＥ部の部分拡大断面図である。なお、図１、図４は、図３のＣ−Ｃ’線で切断した断面図である。
【００１２】
注出口栓１００は、取り付けられたキャップ２０を螺合解除方向（例えば、一端側から見て左回り）に回転することにより開栓され、開栓後はキャップ２０を口栓本体１０に螺合することにより再栓される。以下では、図１、図４に示すように、口栓本体１０の、キャップ２０を被せて取り付ける側を一端側と定義するとともにこれとは反対側を他端側と定義し、この定義に従って説明する。
【００１３】
（口栓本体）
口栓本体１０は、外ネジ１２が形成された円筒形の筒部１１と、環状突出部１３と、閉塞部材１５と、係合爪１５ａとを備える。注出口栓１００は、一例として筒部１１の他端縁から外方に延出するフランジ１７を備えてもよい。フランジ１７を設けることで、注出口栓１００を、図示しない容器本体に溶着等により取り付けて用いることができる。
【００１４】
環状突出部１３は、キャップ２０が口栓本体１０に取り付けられた状態において、閉塞部材１５とともに筒部１１の内周を閉塞するために設けられている。環状突出部１３は、筒部１１の内周面に全周にわたって突出するように形成されている。
【００１５】
閉塞部材１５は、キャップ２０が口栓本体１０に取り付けられた状態において、環状突出部１３とともに筒部１１の内周を閉塞するために設けられている。閉塞部材１５は、円筒形状であって、外径は、筒部１１の内径よりも小さく、かつ、環状突出部１３の内径よりも大きく形成されている。また、閉塞部材１５の内径は、後述するキャップ側係合部２４の外径よりも大きく形成されている。さらに、閉塞部材１５は、筒部１１の内部に設けられた複数の連接部１４により、筒部１１の内方であって、筒部１１の中心軸ＣＬの延伸方向において環状突出部１３よりも筒部１１の一端側に保持されている。
【００１６】
複数の連接部１４は、閉塞部材１５を筒部１１の内方に保持するとともに、開栓に際して破断されることで、破断時の衝撃によりユーザーにクリック感を感知させるために設けられる。複数の連接部１４は、図１〜図３に示すように、一例として、環状突出部１３から筒部１１の内方に向かって延出し、周方向に所定の間隔を有するように設けられている。複数の連接部１４は、一例として、周方向に９０°の間隔を有するように４個形成されているが、隣接する連接部１４の間隔および連接部１４の数はこれに限定されず、開栓をするためにキャップ２０に加える力（トルク）の大きさおよび必要なクリック感の大きさに応じて適宜調整することができる。
【００１７】
閉塞部材１５は、一例として、図１〜図３に示すように、内部に筒部１１の一端側と他端側とを隔てる隔壁１６を備える。隔壁１６を備えることにより、キャップ２０が口栓本体１０に取り付けられた状態において、容器本体に収容された内容物がキャップ２０に触れることを防ぐことができるため、注出口栓１００を衛生的な状態に維持しやすい。
【００１８】
係合爪１５ａは、キャップ２０が口栓本体１０に取り付けられた状態において、閉塞部材１５をキャップ２０に係合するために設けられる。係合爪１５ａは、図４、図６に示すように、キャップ２０が口栓本体１０に取り付けられた状態において、後述するキャップ２０のキャップ側係合部２４に形成された凹溝２４ａに係合することができるように、閉塞部材１５の隔壁１６とは反対側の端部から内方に突出するように形成されている。係合爪１５ａの内径は、後述するキャップ側係合部２４の外径よりも小さく形成されている。
【００１９】
（キャップ）
キャップ２０は、外ネジ１２と螺合する内ネジ２２が形成された円筒形の側壁２１と、側壁２１の一端を覆う天面部２３と、キャップ側係合部２４とを有する。
【００２０】
キャップ側係合部２４は、図４に示すように、キャップ２０が口栓本体１０に取り付けられた状態において、閉塞部材１５を環状突出部１３に密着させるとともに、開栓に際して、閉塞部材１５と環状突出部１３との密着を解除し、連接部１４を破断させるために設けられる。キャップ側係合部２４は、外周面に周方向にわたる凹溝２４ａが形成されて、一端が天面部２３に覆われた円柱状である。凹溝２４ａは、係合爪１５ａが係合可能な深さに形成されている。キャップ側係合部２４は、図１、図４に示すように、内部に空間を有さなくてもよいし、内部に空間を有する円筒状であってもよい。
【００２１】
（キャップの取り付けについて）
キャップ２０の口栓本体１０への最初の取り付けは、例えば、位置決め後、中心軸ＣＬの延伸方向に一定の勢いでキャップ２０を打ちこんだり（打栓）、筒部１１の一端に被せたキャップ２０を螺合方向に回転させることにより外ネジ１２と内ネジ２２とを螺合させたりすることにより行うことができる。これにより、キャップ側係合部２４を、閉塞部材１５の内部（内側）に挿入して係合爪１５ａをキャップ側係合部２４の外周面に沿わせて拡げた後、図４、図６に示すように、係合爪１５ａをキャップ側係合部２４の凹溝２４ａに係合させることができる。閉塞部材１５は、一端側がキャップ側係合部２４の凹溝２４ａを構成する面の一部に当接するとともに、他端側が、図５に示すように、全周にわたって環状突出部１３に密着する。これにより、キャップ側係合部２４の外周面と筒部１１の内周面との間の空間が閉塞されるため、注出口栓１００は密封性を有することができる。このとき、連接部１４は、閉塞部材１５と環状突出部１３との密着を阻害しないように、図５に示すように、筒部１１の内方へむかって屈曲していることが好ましい。
【００２２】
キャップ側係合部２４には、一例として、図１、図４に示すように、他端において、キャップ側係合部２４の一端側から離れるにつれて外径が小さくなる傾斜面２４ｂを形成してもよい。これにより、キャップ２０の口栓本体１０への最初の取り付けに際して、係合爪１５ａが傾斜面２４ｂに沿うことで滑らかに外方に拡げられるため、スムーズにキャップ側係合部２４を閉塞部材１５の内部に挿入して、係合爪１５ａと凹溝２４ａと係合することができる。
【００２３】
また、キャップ２０の口栓本体１０への最初の取り付けに際して、係合爪１５ａをキャップ側係合部２４の外周面に沿わせて拡げるために、閉塞部材１５の内部に設けた隔壁１６は、中心軸ＣＬから外方に向かって一様に伸びて拡がることが好ましい。このために、例えば、隔壁１６に、図１、図３に示すように、中心軸ＣＬを中心とした同心円状の山折り部と谷折り部とを交互に設けることができる。これにより、係合爪１５ａが外方に拡げられるのにともない隔壁１６も外方に拡がることができるため、隔壁１６によりキャップ２０の口栓本体１０へ取り付けが阻害されることを抑制できる。また、隔壁１６を、係合爪１５ａとともに一様に拡がることができる材料により形成してもよい。
【００２４】
キャップ２０の天面部２３には、一例として、図４に示すように、キャップ２０が口栓本体１０に取り付けられた状態において、外周面が、口栓本体１０の筒部１１の内周面と密着する円筒形状のインナーリング２５を形成してもよい。また、キャップ２０が口栓本体１０に取り付けられた状態において、口栓本体１０の筒部１１の一端に密着するコンタクトリング２６を設けてもよい。インナーリング２５およびコンタクトリング２６の少なくともいずれかを設けることにより、キャップ２０が口栓本体１０に取り付けられた状態における密封性をさらに向上させることができる。なお、インナーリング２５およびコンタクトリング２６は、必須ではない。
【００２５】
（開栓について）
次に、注出口栓１００の開栓について、図を参照して説明する。図７は、開栓された状態の注出口栓１００の断面図である。なお、図７は、図３のＣ−Ｃ’線で切断した断面図である。
【００２６】
キャップ２０が口栓本体１０に取り付けられた状態において、キャップ２０に螺合解除方向にトルクを加えることにより、図７に示すように、キャップ２０は螺合解除方向に向かって回転をしながら筒部１１の一端側へ向かって移動する。このとき、係合爪１５ａと凹溝２４ａとの係合により、閉塞部材１５もキャップ２０とともに一端側へ移動する。この結果、閉塞部材１５と環状突出部１３との密着が解除される。
【００２７】
キャップ２０の回転がさらに進行すると、連接部１４が一端側へ向かって引き延ばされる。そして、キャップ２０の移動距離が所定の距離を超えた状態で、所定のトルクでキャップ２０を回転させることにより、図７に示すように、連接部１４が破断する。このとき、連接部１４が破断する際の衝撃が、キャップ２０を介してユーザーにクリック感として伝わる。これにより、注出口栓１００は、タンパーエビデンス性を有することができる。
【００２８】
連接部１４の破断後さらにキャップ２０を回転させると、係合爪１５ａと凹溝２４ａとの係合により、閉塞部材１５はキャップ２０に随伴して口栓本体１０から離脱し開栓が完了する。
【００２９】
このようにして開栓した注出口栓１００では、係合爪１５ａとキャップ側係合部２４との係合により、離脱した閉塞部材１５をキャップ２０内に残留させることができるため、キャップ２０を口栓本体１０の筒部１１に被せて螺合方向に回転させることで再栓をすることができる。再栓をすることで、閉塞部材１５と環状突出部１３とが、再び全周にわたって密着するため、再栓時においても密封性を有することができる。
【００３０】
凹溝２４ａには、一例として、図６に示すように、キャップ側係合部２４の他端側に、キャップ側係合部２４の内方から外方に向かうにつれてキャップ側係合部２４の一端側に近づくように傾斜している接触面２４ｃを設けてもよい。接触面２４ｃを設けることにより、係合爪１５ａの他端側の面と閉塞部材１５の内周面とからなる角部に、接触面２４ｃの外方側の端部を係合させることができるため、開栓に際して係合爪１５ａが凹溝２４ａから外れることを抑制でき、確実な開栓が可能になる。
【００３１】
また、図示はしないが、係合部１５ａと凹溝２４ａとに、互いに係合して中心軸ＣＬを中心にした周方向へ相対的な回転を規制する回り止め機構を設けてもよい。回り止め機構を設けることによりキャップ２０の回転を凹溝２４ａおよび係合部１５ａを介して閉塞部材１５に伝えることができるため、開栓に際して、閉塞部材１５をキャップ２０とともに螺合解除方向へ回転させることができる。これにより、連接部１４を一端側だけでなくキャップ２０の回転方向へも引き伸ばすことができるため、連接部１４をより容易に、かつ小さなトルクで破断させることができる。
【００３２】
このように、注出口栓１００は、密封性とタンパーエビデンス性とを有しながらも、キャップ２０を回転させて取り外した時点で開栓が完了するため、プルリングで開栓する方式のように筒部１１を閉塞する隔壁を除去する必要がない。また、キャップ２０はつまみやすく、トルクを与えやすいので、プルリングを引っ張って隔壁を破断するのに比べてユーザーの負担が小さい。
【００３３】
また、係合爪１５ａとキャップ側係合部２４とが係合することで、離脱した閉塞部材１５をキャップ２０内に残留させることができるため、開栓後に外れた注出口栓１００の一部を廃棄する必要が生じない。
【００３４】
また、注出口栓１００では、開栓をするためにキャップ２０に加えるトルク（開栓強度）および開栓に際してのクリック感を、連接部１４の数、太さを調整することにより容易に調整することができる。
【００３５】
また、注出口栓１００では、閉塞部材１５と環状突出部１３とを密着させることにより密封性を実現しているため、連接部１４の数、太さを調整することにより開栓強度を低く設計しても密封性が低下することがない。
【００３６】
口栓本体１０の材料としては、例えば、直鎖状低密度ポリエチレン等のポリエチレンが挙げられ、キャップ２０の材料としては、例えば、ポリエチレン、ポリプロピレンが挙げられるが、これらに限定されない。
【産業上の利用可能性】
【００３７】
本発明は、包装容器等に有用である。
【符号の説明】
【００３８】
１０    口栓本体
１１    筒部
１２    外ネジ
１３    環状突出部
１４    連接部
１５    閉塞部材
１５ａ    係合爪
１６    隔壁
１７    フランジ
２０    キャップ
２１    側壁
２２    内ネジ
２３    天面部
２４    キャップ側係合部
２４ａ    凹溝
２４ｂ    傾斜面
２４ｃ    接触面
２５    インナーリング
２６    コンタクトリング
１００    注出口栓
ＣＬ    中心軸
【図１】
2020169046.tif 000003
【図２】
2020169046.tif 000004
【図３】
2020169046.tif 000005
【図４】
2020169046.tif 000006
【図５】
2020169046.tif 000007
【図６】
2020169046.tif 000008
【図７】
2020169046.tif 000009